(57)【要約】【課題】筆記具の外観を損なうことなくグリップの回転を抑制できる筆記具を提供する。【解決手段】筆記具１は、軸筒２０に対するグリップ１０の回転を抑制する回り止め機構Ｓを備えた筆記具である。回り止め機構Ｓは、グリップ１０に形成される突出部と、軸筒２０に形成される受け部とから構成される。グリップ１０の突出部は、グリップ１０の外周面よりも中心軸側に形成された突出周面１４と、一部が突出周面１４上に形成された突起１６とを含む。軸筒２０の受け部は、突出周面１４に対応する内周面２４と、突起１６と略同じ幅を有し内周面２４から軸筒２０の外周面に向かって窪む溝２６とを含む。突起１６は、その外縁がグリップ１０の外周面よりも中心軸側となる厚みで形成されており、突出周面１４と内周面２４とが軸筒２０内にて対向する際に突起１６が溝２６に挿入される。【選択図】図５
2015174326.tif 000002
【特許請求の範囲】
【請求項１】
軸筒に対するグリップの回転を抑制する回り止め機構を備えた筆記具であって、
前記回り止め機構は、前記軸筒又は前記グリップの一方の部材に形成される突出部と、前記軸筒又は前記グリップの他方の部材に形成される受け部とを有し、
前記突出部は、前記一方の部材の外周面よりも中心軸側に形成された突出周面と、少なくとも一部が前記突出周面上に形成された突起とを含み、
前記受け部は、前記突出周面に対応する内周面と、前記突起と略同じ幅を有し前記内周面から前記他方の部材の外周面に向かって窪む溝とを含み、
前記突起は、その外縁が前記一方の部材の外周面よりも中心軸側となる厚みで形成されており、前記突出周面と前記内周面とが前記受け部内にて対向する際に当該突起が前記溝に挿入されていることを特徴とする筆記具。
【請求項２】
前記突起は、前記突出周面上に位置する基部と、前記基部から前記受け部側に延在する先端部とを含むことを特徴とする請求項１に記載の筆記具。
【請求項３】
前記突起において前記先端部は前記基部よりも径方向の厚みがあることを特徴とする請求項２に記載の筆記具。
【請求項４】
前記突出部は前記グリップに形成されており、前記受け部は前記軸筒に形成されている、請求項１〜３の何れか一項に記載の筆記具。
【発明の詳細な説明】
【技術分野】
【０００１】
本発明は、筆記具に関し、特にグリップの回り止め機構を備えた筆記具に関する。
【背景技術】
【０００２】
筆記具によって筆記を行う際に把持する部分にグリップを設けた筆記具が知られている。このようなグリップを備えた筆記具では軸筒に対してグリップが回転しないように、内径を狭めたグリップを用意して軸筒に圧入したり、または軸筒の一部に切欠き等を設けると共にグリップの一端に突起部を設け、この突起部を切欠き部へ位置合わせしたりすることで、軸筒に対してグリップが回転しないようにしている（例えば特許文献１参照）。
【先行技術文献】
【特許文献】
【０００３】
【特許文献１】特開平１１−２０３６８号公報
【発明の概要】
【発明が解決しようとする課題】
【０００４】
しかしながら、特許文献１に記載のグリップの回り止め機構では、軸筒に対するグリップの回転を抑制することはできるものの、切欠き部と突起部とが筆記具の外周に形成されているため、筆記具の外観が損なわれてしまう場合があった。
【０００５】
そこで、本発明は、上記の課題を解決するためになされたものであり、筆記具の外観を損なうことなくグリップの回転を抑制することができる回り止め機構を備えた筆記具を提供することを目的とする。
【課題を解決するための手段】
【０００６】
上記課題を解決するため、本発明に係る筆記具は、軸筒に対するグリップの回転を抑制する回り止め機構を備えた筆記具であって、回り止め機構は、軸筒又はグリップの一方の部材に形成される突出部と、軸筒又はグリップの他方の部材に形成される受け部とを有し、突出部は、一方の部材の外周面よりも中心軸側に形成された突出周面と、少なくとも一部が突出周面上に形成された突起とを含み、受け部は、突出周面に対応する内周面と、突起と略同じ幅を有し内周面から他方の部材の外周面に向かって窪む溝とを含み、突起は、その外縁が一方の部材の外周面よりも中心軸側となる厚みで形成されており、突出周面と内周面とが受け部内にて対向する際に当該突起が溝に挿入されていることを特徴としている。
【０００７】
この筆記具では、回り止め機構を構成する突出部が、外周面よりも中心軸側に形成された突出周面と突出周面上に一部が形成された突起とを含んでおり、その突起は外縁が一方の部材の外周面よりも中心軸側となる厚みで形成されており、突出周面と内周面とが受け部内にて対向する際に当該突起が溝に挿入されるようになっている。このような構成により、この筆記具では、外周面よりも内側に入った場所でグリップの回り止めを実現できるようになっている。その結果、筆記具の外観を損なうことなく、グリップの回転を抑制することが可能である。なお、溝の幅が突起の幅と略同じであるとしたのは、突起が溝に挿入できる程度の誤差を含む趣旨である。
【０００８】
上記の筆記具において、突起は、突出周面上に位置する基部と、基部から受け部側に延在する先端部とを含むことが好ましい。筆記具では、サイズがある程度限定されることから、突出周面上の基部のみだと十分な厚みを確保することが難しい場合があるが、基部から受け部側に延在する先端部を有することにより、先端部の厚みをある程度の自由度を持って厚くすることができる。これにより、受け部の溝に挿入される突起の溝側面との接触面積（側面の面積）を増やすことができ、より確実なグリップの回転抑制を実現することができる。なお、上記の場合において突起では先端部が基部よりも径方向の厚みが厚いことが好ましい。
【０００９】
上記の筆記具において、突出部はグリップに形成されており、受け部は軸筒に形成されていることが好ましい。この場合、突出部や受け部の形成をより簡単に行うことができる。
【発明の効果】
【００１０】
本発明によれば、筆記具の外観を損なうことなくグリップの回転を抑制することができる。
【図面の簡単な説明】
【００１１】
【図１】本発明に係る筆記具の一実施形態を示す側面図である。
【図２】図１に示す筆記具のグリップを示す図であり、（ａ）は側面図、（ｂ）は後方側から視た端面図である。
【図３】図２に示すグリップの突起を拡大した拡大側面図である。
【図４】図１に示す筆記具の軸筒の一部を示す図であり、（ａ）は前方側から視た端面図であり、（ｂ）は側面図である。
【図５】グリップと軸筒の一部との結合状態を示す斜視図である。
【図６】グリップの変形例を示す図であり、（ａ）は側面図、（ｂ）は後方側から視た端面図である。
【図７】グリップの別の変形例を示す図であり、（ａ）は側面図、（ｂ）は後方側から視た端面図である。
【図８】グリップの更に別の変形例を示す図であり、（ａ）は側面図、（ｂ）は後方側から視た端面図である。
【発明を実施するための形態】
【００１２】
以下、添付図面を参照しつつ、本発明に係る筆記具の実施形態について詳細に説明する。説明において、同一要素又は同一機能を有する要素には、同一符号を用いることとし、重複する説明は省略する。なお、ペン先側を「前方側」とし、逆側を「後方側」として以下説明する。
【００１３】
図１に示されるように、筆記具１は、例えばシャープペンシル（又はボールペン）であり、使用者が筆記時に把持するためのグリップ１０と、前軸２０ａ及び後軸２０ｂからなる軸筒２０と、を備えて構成される。前軸２０ａは、略円錐形状の前端部２０ｃと、前端部２０ｃの底面の円周部より外径が細くなっているグリップ配置部２０ｄとを含んで構成される。前軸２０ａと後軸２０ｂとは、前軸２０ａのグリップ配置部２０ｄよりも後方側の外周面に形成された雄ネジ部（不図示）が円筒形状の後軸２０ｂの前方側の内周面に形成された雌ネジ部（不図示）に挿入されて締め付けられることにより、軸筒２０を構成する。なお、軸筒２０の後方側には尾栓５が挿入されている。
【００１４】
軸筒２０のグリップ配置部２０ｄの外径は、略円筒形状のグリップ１０の内径と略同じであり、グリップ１０は、グリップ配置部２０ｄ上に配置されることで、使用者が把持して筆記することができる把持部として機能する。グリップ配置部２０ｄの軸方向に沿った長さは、グリップ１０の長さと略同じであり、これにより、グリップ１０は、前軸２０ａの前端部２０ｃと後軸２０ｂとの間に配置される。グリップ１０は、例えば、透明又は半透明なプラスチック樹脂から構成されており、軸筒２０のグリップ配置部２０ｄの外周面上に印刷された水玉模様などをそのまま外部に映し出すことが可能となっている。グリップ１０の外周面に各種の模様や文字等を装飾用に印刷するようにしてもよい。なお、グリップ１０は、例えば熱可塑性樹脂などの硬質なプラスチック材料から構成されていることが好ましいが、金属などから構成されていてもよい。
【００１５】
筆記具１は、このような軸筒２０（後軸２０ｂ）に対するグリップ１０の回転を抑制する回り止め機構Ｓを備えている。この回り止め機構Ｓは、図２〜図５に示すように、グリップ１０の後方側に位置する突出部と、軸筒２０の後軸２０ｂの前方側に位置する受け部とから構成される。なお、図４及び図５では、説明を分かり易くするために軸筒２０の一部であるグリップ配置部２０ｄ等を省略している。
【００１６】
グリップ１０は、図２，図３及び図５に示すように、円筒形状のグリップ本体部１２、グリップ本体部１２の後方側の端部に形成される突出周面１４、及び、一部が突出周面１４上に位置して後方側（後軸２０ｂ側）に延在する複数の突起１６を含んで構成される。突出周面１４は、グリップ本体部１２の外周面よりも中心軸側（つまり内側）に位置する略円筒状の面であり、グリップ本体部１２の外周面よりも外径が小さくなっている。この突出周面１４の面上には、軸筒２０の後軸２０ｂ側から視た際に９０度間隔となるように例えば４つの突起１６が配置されている。
【００１７】
突起１６は、平面視した際に舌片形状を呈しており、図３に示すように、突出周面１４上に位置する基部１６ａと、基部１６ａから後方側（後軸２０ｂ側）に延在する先端部１６ｂとを含んでいる。先端部１６ｂの中心軸側の下端は、グリップ本体部１２の内周面に沿うように形成されている。つまり、先端部１６ｂの方が基部１６ａよりも径方向において厚みがあるようになっている。但し、基部１６ａ及び先端部１６ｂは共に、グリップ本体部１２の外周面側の上端（外縁）がその外周面よりも内側に位置するようになっている。なお、上述した突出周面１４及び４つの突起１６が突出部を構成する。
【００１８】
また、軸筒２０の後軸２０ｂは、図４及び図５に示すように、内周面２８を有する円筒状の筒部２２、内周面２８よりも径が大きく後軸２０ｂの先方側の端部に形成される内周面２４、及び、内周面２４から筒部２２の外周面に向かって窪む複数の溝２６を含んで構成される。筒部２２の外周は、グリップ１０の外周と略同じ外径である。内周面２４は、グリップ１０の突出周面１４の外径と略同じ内径を有しており、グリップ１０の後方の端部が後軸２０ｂの前方の端部に挿入された際に、後軸２０ｂ内において、突出周面１４と対向して接する。なお、説明を容易にするため、図５等では、前軸２０ａと後軸２０ｂとを互いにネジ止めするための雌ネジ部等の図示は省略している。
【００１９】
また、軸筒２０の後軸２０ｂの溝２６は、グリップ１０の突起１６に対応するように、先方側から視た際に例えば９０度間隔で配置されており、突起１６と略同じ幅を有している。ここで、溝２６の幅が突起１６の幅と略同じであるとしたのは、突起１６が溝２６に挿入できる程度の誤差を含む趣旨である。他の場合も同様の趣旨である。溝２６の深さは、突起１６の先端部の高さと略同じとなっている。なお、上述した内周面２４及び複数の溝２６が受け部を構成する。
【００２０】
上述した突出部及び受け部により、グリップ１０の回転が抑制される回り止め機構が構成される。具体的には、グリップ１０の突出部を後軸２０ｂの受け部に挿入すると、グリップ１０の突出周面１４と後軸２０ｂの内周面２４とが対向して接すると共に、グリップ１０の複数の突起１６が後軸２０ｂの溝２６それぞれに挿入される。そして、溝２６によって突起１６の回転方向の動きが規制される。これにより、グリップ１０の回転が抑制される。
【００２１】
このように、回り止め機構Ｓを構成する突出部が、外周面よりも中心軸側に形成された突出周面１４と突出周面１４上に一部が形成された突起１６とを含んでおり、突起１６は外縁がグリップ１０の外周面よりも中心軸側となる厚みで形成されており、突出部の突出周面１４と受け部の内周面２４とが後軸２０ｂ内にて対向する際にグリップ１０の突起１６が後軸２０ｂの溝２６に挿入されるようになっている。このような構成により、この筆記具１では、外周面よりも内側に入った場所でグリップ１０の回り止めを実現できる。その結果、筆記具１によれば、その外観を損なうことなく、グリップ１０の回転を抑制することができる。
【００２２】
また、筆記具１では、突起１６は、突出周面１４上に位置する基部１６ａと、基部１６ａから後方側に延在する先端部１６ｂとを含んでいる。筆記具では、そのサイズがある程度限定されることから、突出周面１４上の基部１６ａのみだと十分な厚みを確保することが難しい場合があるが、基部１６ａから後軸２０ｂ側に延在する先端部１６ｂを有することにより、先端部１６ｂの厚みをある程度の自由度を持って厚くすることができる。これにより、後軸２０ｂの溝２６に挿入される突起１６の溝側面との接触面積を増やすことができ、より確実なグリップ１０の回転抑制を実現することができる。
【００２３】
本発明は、上記実施形態に限定されるものではなく、種々の変形を適用できる。例えば、上記実施形態では、グリップ１０の突起１６の形状を、平面視した際に舌片形状となるような形状としていたが、例えば、図６の（ａ），（ｂ）に示すように、舌片形状において円状になる部分を台形形状に置き換えた形状の突起３６を有するグリップ３０としてもよい。また、グリップ１０の突起１６の形状を、図７の（ａ），（ｂ）に示すように、後方側（後軸２０ｂ側）が三角形状となり前方側が矩形形状となる突起４６としたグリップ４０を用いてもよい。なお、この突起４６は、断面が三角形状となっていてもよい。また、グリップ１０の突起１６の形状を、図８の（ａ），（ｂ）に示すように、矩形形状の突起５６としたグリップ５０を用いてもよい。なお、この突起５６は、断面が台形形状となっていてもよい。
【００２４】
また、上述した実施形態では、突起１６を回転方向９０度毎に１個配置して合計４個の突起１６及びそれに対応する溝２６を設けたが、突起や溝の形成箇所や形成数は適宜変更することができる。例えば、回転方向１２０度毎に１個の突起と溝を配置して合計３個の突起及びそれに対応する溝を設けてもよい。なお、この突起及び溝の形成は規則的に行う必要は必ずしもなく、不規則な角度で配置するようにしてもよい。また、上述した実施形態では、グリップ１０側に突出部を設け、軸筒２０の後軸２０ｂ側に受け部を設ける構成としたが、これを入れ替えて、グリップ１０側に受け部を設け、軸筒２０の後軸２０ｂ側に突出部を設ける構成としてもよい。
【符号の説明】
【００２５】
１…筆記具、１０，３０，４０，５０…グリップ、１４…突出周面、１６，３６，４６，５６…突起、１６ａ…基部、１６ｂ…先端部、２０…軸筒、２４…内周面、２６…溝、Ｓ…回り止め機構。
【図１】
2015174326.tif 000003
【図２】
2015174326.tif 000004
【図３】
2015174326.tif 000005
【図４】
2015174326.tif 000006
【図５】
2015174326.tif 000007
【図６】
2015174326.tif 000008
【図７】
2015174326.tif 000009
【図８】
2015174326.tif 000010